(57)【要約】【課題】　磁気テープのローディング/アンローディング時、またはローディング/アンローディングの完了時にポールベース組立体が流動することなく安定的にガイドされることができるテープレコーダの磁気テープローディング装置を提供することにある。【解決手段】　本発明に係るテープレコーダの磁気テープローディング装置は、磁気テープのローディング時にテープカセットから磁気テープを引出するようデッキシャーシ上で移動されるポールベース組立体と、磁気テープのローディング/アンローディング時にポールベース組立体の移動をガイドするようにデッキシャーシ上に設けられるガイドレールと、磁気テープのローディング/アンローディング途中及び磁気テープのローディング完了時にポールベース組立体が流動されるのを防止する流動防止ユニットとを含む。【選択図】　　　図６ 
2004146044.tif 000002
【特許請求の範囲】
【請求項１】
　磁気テープのローディング時にテープカセットから磁気テープを引出するようデッキシャーシ上で移動されるポールベース組立体と、
　前記磁気テープのローディング/アンローディング時に前記ポールベース組立体の移動をガイドするよう前記デッキシャーシ上に設けられるガイドレールと、
　前記磁気テープのローディング/アンローディング途中及び前記磁気テープのローディング完了時に前記ポールベース組立体が流動されるのを防止する流動防止ユニットとを含むことを特徴とするテープレコーダの磁気テープローディング装置。
【請求項２】
　前記デッキシャーシは、メインシャーシと、前記磁気テープのローディング/アンローディング時に前記メインシャーシ上で摺動するよう前記メインシャーシに設けられるサブシャーシとを含み、
　前記ガイドレールは、前記メインシャーシとサブシャーシとのそれぞれに設けられ前記磁気テープのローディング時に前記サブシャーシの移動によって相互ドッキングされる固定ガイドレールと移動ガイドレールとを含むことを特徴とする請求項１に記載のテープレコーダの磁気テープローディング装置。
【請求項３】
　前記固定ガイドレール及び移動ガイドレールは、相異なる厚さで形成され、
　前記流動防止ユニットは、前記固定ガイドレール及び移動ガイドレールのうち厚さの薄い何れかの一つに設けられ、前記固定ガイドレールと前記移動ガイドレールとの間の連結部位を平たくする厚さ補正手段を含むことを特徴とする請求項２に記載のテープレコーダの磁気テープローディング装置。
【請求項４】
　前記厚さ補正手段は、
　前記固定及び移動ガイドレールのうち相対的に厚さの薄い何れかの一つの一部が、少なくとも１回折り曲げられ所定長さが突出されように形成される段差部を含むことを特徴とする請求項３に記載のテープレコーダの磁気テープローディング装置。
【請求項５】
　前記段差部は、前記固定及び移動ガイドレールの厚さの差異と同一な突出長さを有することを特徴とする請求項４に記載のテープレコーダの磁気テープローディング装置。
【請求項６】
　前記固定ガイドレールは前記メインシャーシと一体に形成され、前記メインシャーシの厚さと同一の厚さを有することを特徴とする請求項４に記載のテープレコーダの磁気テープローディング装置。
【請求項７】
　前記固定ガイドレールは、前記メインシャーシの一部が少なくとも１回折り曲げられて形成されることを特徴とする請求項６に記載のテープレコーダの磁気テープローディング装置。
【請求項８】
　前記移動ガイドレールは前記サブシャーシと一体に形成され、前記サブシャーシの厚さと同一の厚さを有することを特徴とする請求項４に記載のテープレコーダの磁気テープローディング装置。
【請求項９】
　前記固定及び移動ガイドレールのそれぞれは、前記メインシャーシ及びサブシャーシのそれぞれと一体に形成され、前記メインシャーシ及びサブシャーシそれぞれと同一の厚さで形成されることを特徴とする請求項４に記載のテープレコーダの磁気テープローディング装置。
【請求項１０】
　前記サブシャーシは、前記メインシャーシより薄い厚さで形成されることを特徴とする請求項９に記載のテープレコーダの磁気テープローディング装置。
【請求項１１】
　前記ポールベース組立体は、前記磁気テープのローディング/アンローディング時にその一側に連結されたリンク部材によって加圧されて移動されることを特徴とする請求項１に記載のテープレコーダの磁気テープローディング装置。
【請求項１２】
　前記流動防止ユニットは、前記ポールベース組立体の移動時に前記リンク部材が前記ガイドレールの底面に対して平行状態が維持されよう前記リンク部材を拘束するレベルリング手段を含むことを特徴とする請求項１１に記載のテープレコーダの磁気テープローディング装置。
【請求項１３】
　前記レベルリング手段は、前記磁気テープのローディング完了時に前記ポールベース組立体の先端と接触されるように前記ガイドレールから突出形成された第１の突出部を含むことを特徴とする請求項１２に記載のテープレコーダの磁気テープローディング装置。
【請求項１４】
　前記レベルリング手段は、前記ガイドレールと前記リンク部材との間に配される第２の突出部を含むことを特徴とする請求項１２に記載のテープレコーダの磁気テープローディング装置。
【請求項１５】
　前記第２の突出部は、前記ガイドレールの底面から下方に突出されることを特徴とする請求項１４に記載のテープレコーダの磁気テープローディング装置。
【請求項１６】
　前記第２の突出部は、前記ガイドレールの表面にエンボシング状に形成されることを特徴とする請求項１５に記載のテープレコーダの磁気テープローディング装置。
【請求項１７】
　前記デッキシャーシは、メインシャーシと、前記磁気テープのローディング/アンローディング時に前記メインシャーシ上で摺動するよう前記メインシャーシに設けられるサブシャーシとを含み、
　前記ガイドレールは、前記メインシャーシとサブシャーシのそれぞれに設けられ、前記磁気テープのローディング時に前記サブシャーシの移動によって相互ドッキングされる固定ガイドレールと移動ガイドレールとを含むことを特徴とする請求項１５に記載のテープレコーダの磁気テープローディング装置。
【請求項１８】
　前記第２の突出部は、前記磁気テープの完了時に前記リンク部材の上面と向い合う前記固定ガイドレール及び移動ガイドレールのうち何れかの一つの下面から突出形成されることを特徴とする請求項１７に記載のテープレコーダの磁気テープローディング装置。
【請求項１９】
　前記固定ガイドレールは、前記メインシャーシの一部が折り曲げられて形成されることを特徴とする請求項１８に記載のテープレコーダの磁気テープローディング装置。
【発明の詳細な説明】
【技術分野】
【０００１】
　本発明は、ビデオテープレコーダ（ＶＴＲ）、カムコーダのようなデッキに内蔵された所定の軌道に従って走行される磁気テープにデータを記録/再生するテープレコーダに関し、特に、磁気テープのローディング時にテープカセットから磁気テープを引出してヘッドドラムに密着させるテープローディング装置に関する。
【背景技術】
【０００２】
　図１は、テープレコーダに採用されるデッキのうち、主にカムコーダに採用されるムービングデッキ１００を一例に挙げて示したものである。同図を参照すると、従来のテープレコーダのムービングデッキ１００は、メインシャーシ１１０と、サブシャーシ１２０と、テープローディング装置とを含む。
【０００３】
　メインシャーシ１１０は、ムービングデッキ１００の底面に形成されており、ヘッドドラム１３０、ローディングモータ１５０、キャプスタンモータ１４０などのような各種の部品が装着される。
【０００４】
　サブシャーシ１２０は、メインシャーシ１１０上に摺動自在に設けられ、磁気テープのローディング/アンローディング時にメインシャーシ１１０上で往復移動する。
【０００５】
　テープのローディング装置は、磁気テープのローディング時にムービングデッキ１００の内部に挿入されたテープカセット（図示せず）から磁気テープ（図示せず）を引出してヘッドドラム１３０に密着させ、その磁気テープが走行する時ヘッドドラム１３０に密着された状態で走行され得るように磁気テープをガイドする装置である。かかるテープローディング装置は、ポールベース組立体１６０と固定及び移動ガイドレール１８１、１８５を含む。
【０００６】
　ポールベース組立体１６０は、磁気テープのローディング/アンローディング時に移動できるようにムービングデッキ１００に設けられ、磁気テープの走行時に磁気テープがヘッドドラム１３０に密着状に走行されるように磁気テープの走行をガイドする。通常、一対のポールベース組立体１６０はムービングデッキ１００の内部に設けられ、それぞれの移動はローディングモータ１５０の駆動に連動されるリンク部材２６８（図３参照）によって加圧されてなされる。
【０００７】
　ガイドレール１８１、１８５は、ポールベース組立体１６０の移動をガイドするためのものであり、メインシャーシ１１０に設けられた一対の固定ガイドレール１８１と、サブシャーシ１２０に設けられた一対の移動ガイドレール１８５を含む。前述の固定及び移動ガイドレール１８１、１８５は、磁気テープのローディング時にサブシャーシ１２０の移動によって相互ドッキングされてポールベース組立体１６０の移動経路を形成させる。
【０００８】
　図１に示された従来のムービングデッキ１００の場合、ヘッドドラム１３０をメインシャーシ１１０に固定させるためメインシャーシ１１０に別途に装着されるヘッドドラムベース１７０が固定ガイドレール１８１と一体に形成され、移動ガイドレール１８５がサブシャーシ１２０と一体に形成される。
【０００９】
　最近では、図２に示されたムービングデッキ２００のように、テープレコーダの小型化及び軽量化のためヘッドドラムベース１７０（図１参照）の設置が省略されヘッドドラム１３０がメインシャーシ２１０に直接設けられる。固定ガイドレール２８１もメインシャーシ２１０の一部が折り曲げられて形成されている。この場合、メインシャーシ２１０より低い強度が求められるサブシャーシ２２０がメインシャーシ２１０より薄い板材からなるので、固定ガイドレール２８１が移動ガイドレール２８５より厚く形成される。これにより、図３のように、固定及び移動ガイドレール２８１、２８５の連結部位に段差（ｔ）が形成され、磁気テープのローディング時にポールベース組立体２６０が前記段差（ｔ）によって移動ガイドレール２８５から固定ガイドレール２８１に円滑に移動できない問題が発生する。
【００１０】
　尚、磁気テープのローディングが完了された状態でポールベース組立体２６０はデッキ２００内部で走行する磁気テープの引張力によって流動される。かかるポールベース組立体２６０の流動を防止するためにポールベース組立体２６０は、磁気テープのローディングが完了された状態においてもリンク部材２６８によってＡ方向に加圧される。このように磁気テープのローディングが完了された状態でポールベース組立体２６０がリンク部材２６８により加圧されれば、図３のように、Ｂ方向にポールベース組立体２６０を回動させようとするモーメントが生じる。
【００１１】
　図１に示された従来のデッキ１００は、前述したモーメント及び磁気テープの引張力によるポールベース組立体１６０（図１参照）の流動を防止するために、磁気テープのローディング完了時にヘッドドラムベース１７０（図１参照）に形成された別途の支持爪１７５（図１参照）がポールベース組立体１６０を接触支持する。しかし、図２に示された従来のデッキ２００は、固定ガイドレール２８１がメインシャーシ２１０の一部が折り曲げられて形成されるので製造工程上の理由により、前述のような支持爪１７１（図１参照）の設置が省略される。これにより、図３のように、前述したモーメントと磁気テープの引張力によってポールベース組立体２６０が流動されることを抑え切れず磁気テープの走行を安定的にガイドできない問題点を抱えている。
【００１２】
　一方、リンク部材２６８とガイドレール２８１、２８５との間には流動ギャップ（Ｇ）が形成される。これは、ポールベース組立体２６０の移動時にリンク部材２６８とガイドレール２８１、２８５の接触を抑制しポールベース組立体２６０の移動が円滑になるよう働く。しかし、ポールベース組立体２６０がリンク部材２６８によりその一側が加圧されることによって移動されるため、ポールベース組立体２６０の移動時にポールベース組立体２６０の中心を基準にしてポールベース組立体２６０が回動されようとするモーメントが生じて、前記流動ギャップ（Ｇ）の分ポールベース組立体２６０が流動される問題点を抱えている。
【発明の開示】
【発明が解決しようとする課題】
【００１３】
　本発明は、前述した問題点を解決するために案出されたもので、その目的は、磁気テープのローディング/アンローディングの完了時にポールベース組立体が流動することなく安定的にガイドされるよう構造が改善されたテープレコーダの磁気テープローディング装置を提供することにある。
【課題を解決するための手段】
【００１４】
　前述した目的を達成するために本発明に係るテープレコーダの磁気テープローディング装置は、磁気テープのローディング時にテープカセットから磁気テープを引出するようデッキシャーシ上で移動されるポールベース組立体と、前記磁気テープのローディング/アンローディング時に前記ポールベース組立体の移動をガイドするように前記デッキシャーシ上に設けられるガイドレールと、前記磁気テープのローディング/アンローディング途中及び前記磁気テープのローディング完了時に前記ポールベース組立体が流動されるのを防止する流動防止ユニットとを含むことを特徴とする。
【００１５】
　本発明の良好な実施例によれば、前記デッキシャーシは、メインシャーシと前記磁気テープのローディング/アンローディング時に前記メインシャーシ上で摺動するよう前記メインシャーシに設けられるサブシャーシを含み、前記ガイドレールは、前記メインシャーシとサブシャーシとのそれぞれに設けられ前記磁気テープのローディング時に前記サブシャーシの移動によって相互ドッキングされる固定ガイドレール及び移動ガイドレールを含む。
【００１６】
　ここで、前記固定ガイドレール及び移動ガイドレールは相異なる厚さで形成され、前記流動防止ユニットは前記固定ガイドレール及び移動ガイドレールのうち厚さの薄い何れかの一つに設けられ、前記固定ガイドレールと前記移動ガイドレールとの間の連結部位を平たくする厚さ補正手段を含むことが好ましい。
【００１７】
　前記厚さ補正手段は、前記固定及び移動ガイドレールのうち相対的に厚さの薄い何れか一つの一部が少なくとも１回折り曲げられ所定長さが突出されように形成される段差部を含むことが好ましい。
【００１８】
　そして、前記段差部は前記固定及び移動ガイドレールの厚さの差異と同一の突出長さを有し、前記固定ガイドレールは前記メインシャーシと一体に形成され、前記メインシャーシの厚さと同一の厚さを有することが好ましい。
【００１９】
　一方、前記固定ガイドレールは前記メインシャーシの一部が少なくとも１回折り曲げられて形成され、前記移動ガイドレールは前記サブシャーシと一体に形成されて前記サブシャーシの厚さと同一の厚さを有することが好ましい。
【００２０】
　尚、前記固定及び移動ガイドレールのそれぞれは前記メインシャーシ及びサブシャーシのそれぞれと一体に形成され、前記メインシャーシ及びサブシャーシそれぞれと同一な厚さで形成されることが好ましく、前記サブシャーシは前記メインシャーシより薄い厚さで形成されることが更に好ましい。
【００２１】
　本発明の好適な実施例によれば、前記ポールベース組立体は前記磁気テープのローディング/アンローディング時にその一側に連結されたリンク部材によって加圧されて移動され、前記流動防止ユニットは前記リンク部材が前記ガイドレールについて平行状態を維持した状態でポールベース組立体を移動させ得るよう前記リンク部材の移動を拘束するレベルリング手段を含む。
【００２２】
　尚、前記レベルリング手段は、前記磁気テープのローディング完了時に前記ポールベース組立体の先端と接触されるよう前記ガイドレールから突出形成された第１の突出部と、前記ガイドレールと前記リンク部材との間に配される第２の突出部とを含むことが好ましい。
【００２３】
　そして、前記第２の突出部は前記ガイドレールの底面から下方に突出されることが好ましく、前記第２の突出部は前記ガイドレールの表面にエンボシング状に形成されることが更に好ましい。
【発明の効果】
【００２４】
　本発明によれば、相異なる厚さを有する固定及び移動ガイドレールの連結部位に段差が形成されることを抑えることができ、磁気テープのローディングが完了された状態においてもポールベース組立体が流動されることを抑えることができる。
【００２５】
　これにより、磁気テープのローディング時にポールベース組立体の移動が安定的に行なわれると同時に、磁気テープのローディングが完了された後も磁気テープの走行が安定的に行われることができる。
【００２６】
　特に、メインシャーシ及びサブシャーシのそれぞれに固定及び移動ガイドレールが一体に形成された場合、サブシャーシの厚さをさらに薄くすることによってテープレコーダの軽量化が容易になる。さらに、メインシャーシをサブシャーシの厚さに対応し薄く形成させる必要がならないので、外部からの衝撃に対するテープレコーダの耐久性を一定の状態に維持させることができる。
【発明を実施するための最良の形態】
【００２７】
　以下、本発明の良好な実施例を添付された図面を参照しながら詳細に説明する。因みに、本発明の実施例を説明する前に、図１ないし図３に図示及び説明された従来のテープレコーダの構成要素と同一な構成及び機能を有するテープレコーダの構成要素につき従来と同一な参照符号を付し、詳細な説明は除く。
【実施例】
【００２８】
　図４及び図５を参照すると、本発明の好適な実施例にかかるテープレコーダのムービングデッキ３００のテープローディング装置は、メインシャーシ３１０と、サブシャーシ３２０と、ポールベース組立体３６０と、固定及び移動ガイドレール３８１、３８５と、流動防止ユニット３９１、３９２と、を含む。尚、流動防止ユニット３９１、３９２は、ポールベース組立体３６０が磁気テープのローディング/アンローディングまたは磁気テープのローディング完了時に流動されることを抑え、これについては後述する。
【００２９】
　メインシャーシ３１０は、ムービングデッキ３００の底面を形成させ、ヘッドドラム１３０がその上面に設けられる。そして、固定ガイドレール３８１及びヘッドドラム安着部２１５が一体に形成される。尚、ヘッドドラム安着部２１５は、ヘッドドラム１３０の安着のためのものであり、メインシャーシ３１０の底面一部をその底面について所定の角度斜めになるよう折曲させることにより形成する。一方、固定ガイドレール３８１の構成及び機能は後述する。
【００３０】
　サブシャーシ３２０は、メインシャーシ３１０の上側に摺動自在に設けられ、磁気テープ（図示せず）のローディング/アンローディング時にメインシャーシ３１０上でヘッドドラム１３０に接近/離隔される方向に往復移動する。
【００３１】
　このように構成されたメインシャーシ３１０とサブシャーシ３２０は、テープレコーダの軽量化のために相異なる厚さで形成される。詳細に説明すると、ムービングデッキ３００の内部構成品を保護するために所定サイズ以上の強度を確保しなければならないシャーシ３１０は、一定サイズ以上の厚さで形成され、メインシャーシ３１０上で移動されるサブシャーシ３２０はローディングモータ１５０の駆動負荷を軽減させテープレコーダの軽量化のために最大に薄く形成される。本実施例でのムービングデッキ３００は、図６のように、メインシャーシ３１０の厚さ（ａ）は１ｍｍに形成され、サブシャーシ３２０の厚さ（ｂ）は０．６ｍｍに形成されており、前述のような要求項目を満たしている。そして、メインシャーシ３１０は通常の鉄材質の板材で形成され、サブシャーシ３２０はアルミニウム材質の板材で形成されるのが好ましい。
【００３２】
　ポールベース組立体３６０は、磁気テープのローディング時に磁気テープをテープカセット（図示せず）から引出してヘッドドラム１３０の外周面をほぼ半回転程度ワインディングするようムービングデッキ３００上で移動し、磁気テープのローディングが完了されれば磁気テープがヘッドドラム１３０に密着された状態で走行すべくローディング位置に固定される。このためにポールベース組立体３６０は、ヘッドドラム１３０の両側に対応されるよう対をなしてムービングデッキ３００上に設けられる。それぞれはムービングデッキ３００上に移動自在に設けられるベース部材３６１と、ベース部材３６１の上面に突出形成された少なくとも一つのポール部材３６３及び/またはローラ部材３６５を含む。そして、ベース部材３６１の下面に設けられるサブベース３６７（図６参照）を含む。サブベース３６７の先断面は、磁気テープのローディング完了時に後述する第１の突出部３９３と接触される。一方、説明してない符号３６８はローディングモータ１５０の駆動に連動してベース部材３６１を移動させるためのリンク部材である。リンク部材３６８は、ポールベース組立体３６０の円滑な移動を保障するため固定及び移動ガイドレール３８１、３８５それぞれの下面から所定の流動ギャップ（Ｇ）ほど離隔されることが好ましい。
【００３３】
　固定及び移動ガイドレール３８１、３８５は磁気テープのローディング/アンローディングに対応して移動されるポールベース組立体３６０をガイドする。このため、固定ガイドレール３８１と移動ガイドレール３８５は、磁気テープのローディング/アンローディングに対応してサブシャーシ３２０がメインシャーシ３１０上で移動される際、相互連結/分離が可能になるようメインシャーシ３１０とサブシャーシ３２０にそれぞれ一対ずつ設けられる。そして、固定及び移動ガイドレール３８１、３８５それぞれの中央部にはベース部材３６１に摺動自在に連結される第１及び第２のガイド溝３８１ａ、３８５ｂが形成される。
【００３４】
　尚、固定ガイドレール３８１はメインシャーシ３１０の一部を切開した後、その切開部位を上方に、少なくとも１回折り曲げることにより形成される。これによって、固定ガイドレール３８１はメインシャーシ３１０と同一の厚さで形成される。この場合、固定ガイドレール３８１の下面とメインシャーシ３１０の底面との間の間隔は、ヘッドドラム１３０側に移動するポールベース組立体３６０のポール部材３６３及び/またはローラ部材３６５により磁気テープがヘッドドラム１３０と密着され得るサイズであれば充分である。
【００３５】
　一方、移動ガイドレール３８５は、サブシャーシ３２０と一体に形成されてサブシャーシ３２０の厚さと同一の厚さで形成される。
【００３６】
　かかる構成によれば、固定ガイドレール３８１は移動ガイドレール３８５より更に厚く形成される。よって、磁気テープのローディング時にポールベース組立体３６０の移動経路を形成させるため固定及び移動ガイドレール３８１、３８５が連結される場合、その連結部位に固定及び移動ガイドレール３８１、３８５の厚さの差異分の段差（ｔ）（図３参照）が形成される。本実施例の場合、メインシャーシ３１０の厚さ（ａ）が１ｍｍ、サブシャーシ３２０の厚さ（ｂ）が０．６ｍｍで形成されるので、前述したような固定及び移動ガイドレール３８１、３８５の連結部位に形成される段差（ｔ）の厚さは０．４ｍｍとなる。
【００３７】
　前述のように、固定及び移動ガイドレール３８１、３８５の連結部位に形成された段差（ｔ）によりポールベース組立体３６０の移動経路が平たくならないことを補償するため、本発明に係るテープローディング装置の流動防止ユニットは所定の厚さ補正手段３９１を含む。本実施例では、前記厚さ補正手段として固定及び移動ガイドレール３８１、３８５のうち、相対的に厚さの薄い移動ガイドレール３８５から下方に突出形成される段差部３９１を含む。
【００３８】
　段差部３９１は、移動ガイドレール３８５のガイド側面、即ち、第２のガイド溝３８５ａの内側縁部を下方に、少なくとも１回折曲させることにより形成される。この場合、段差部３９１の低面と移動ガイドレール３８５の底面との間の間隔（ｃ）は、固定及び移動ガイドレール３８１、３８５間の厚さの差異と同一でなければならない。本実施例の場合、図６のように、段差部３９１の底面と移動ガイドレール３８５の底面との間の間隔（ｃ）が０．４ｍｍで形成される。そして、向い合う段差部３９１との間の間隔は第１のガイド溝３８１ａの幅（ｗ）と同一でなければならない。前述のような規格で段差部３９１を形成させるための部分を確保するため第２のガイド溝３８５ａは初期に第１のガイド溝３８１ａの幅（ｗ）（図７参照）より狭く形成すべきである。
【００３９】
　前述のような段差部３９１によりポールベース組立体３６０が磁気テープのローディング時に相異なる厚さで形成される固定及び移動ガイドレール３８１、３８５の連結部上でその移動が円滑になる。以上では、段差部３９１が移動ガイドレール３８５の下面から突出されるように形成された場合のみ限って説明した。しかし、図示されてないが、メインシャーシ３１０の底面から移動ガイドレール３８５の下面までの高さがメインシャーシ３１０の底面から固定ガイドレール３８１の下面までの高さと同一である場合、段差部３９１が移動ガイドレール３８５の上方に向いて突出されるよう形成されるべきである。さらに、図示されてないが、移動ガイドレール３８５が固定ガイドレール３８１の厚さより厚く形成されれば、固定ガイドレール３８１に段差部を形成させる得ることは勿論のことである。
【００４０】
　尚、本発明に係るテープローディング装置の流動防止ユニットは、磁気テープのローディングが完了された状態でリンク部材３６８及び磁気テープにより流動されることを防止するレベルリング手段３９２を更に含む。本実施例においては、レベルリング手段３９２として第１及び第２の突出部３９３、３９５を含む。
【００４１】
　第１の突出部３９３は、磁気テープのローディング完了時に前もって説明した従来の支持爪１７５（図１参照）の代りにポールベース組立体３６０と接触される。本実施例にての第１の突出部３９３は、サブベース３６７の先端と接触されるよう固定ガイドレール３８１の下方に突出されるべく形成される。そして、第１の突出部３９３は、固定ガイドレール３８１と一体に形成されることが好ましい。このため、第１の突出部３９３はメインシャーシ３１０のプレシング加工時に固定ガイドレール３８１と同時にエンボシング状に形成されるなど、多様な方法で形成され得る。
【００４２】
　第２の突出部３９５は、磁気テープのローディング/アンローディング途中、またはローディング完了時にリンク部材３６８と固定ガイドレール３８１の流動ギャップ（Ｇ）を維持させてポールベース組立体３６０がＢ（図３参照）方向に流動することを抑える。特に、磁気テープのローディングが完了された状態では、ポールベース組立体３６０がローディング位置から上方に流動することを抑えるためである。このために、第２の突出部３９５は、リンク部材３６８の上面またはガイドレール３８１、３８５の下面に突出形成されるのが好ましい。この際、第２の突出部３９５の高さは前記流動ギャップ（Ｇ）と同一の高さで形成されるのが好ましい。本実施例では、第２の突出部３９５は、固定ガイドレール３８１の下面に下方に向いて、言わばエンボシング状で形成される。これによれば、メインシャーシ３１０のプレシング加工時に固定ガイドレール３８１と同時に形成され得る。その他にも多様な方法を用いて第２の突出部３９５の形成が可能であることは勿論、第２の突出部３９５の形状も多様に変形させ得る。
【００４３】
　前述の通り第２の突出部３９５は、本実施例に限らない。つまり、ポールベース組立体３６０の移動時にリンク部材３６８とガイドレール３８１、３８５との間の接触を抑えるようリンク部材３６８とガイドレール３８１、３８５との間に所定の流動ギャップ（Ｇ）が形成されるべきである場合においてもその適用が可能である。これによれば、ポールベース組立体３６０の移動中にリンク部材３６８とガイドレール３８１、３８５との間の流動ギャップ（Ｇ）を一定維持させポールベース組立体３６０の流動を防止するという本発明の機能を行なうことが可能になる。
【００４４】
　一方、前述のような本発明は、単にカムコーダに適用された一例を挙げて詳細に説明したが、ビデオテープレコーダ（ＶＴＲ）、デジタルオーディオテープ（ＤＡＴ）のようにムービングデッキメカニズムを有するテープレコーダに適用され得る。
【００４５】
　以上、本発明によれば、相異なる厚さを有する固定及び移動ガイドレール３８１、３８５の連結部位に段差（ｔ）（図３参照）が形成されることを抑えることができ、磁気テープのローディングが完了された状態においてもポールベース組立体３６０が流動されることを抑えることができる。
【００４６】
　これにより、磁気テープのローディング時にポールベース組立体３６０の移動が安定的に行なわれると同時に、磁気テープのローディングが完了された後も磁気テープの走行が安定的に行われることができる。
【００４７】
　特に、メインシャーシ３１０及びサブシャーシ３２０のそれぞれに固定及び移動ガイドレール３８１、３８５が一体に形成された場合、サブシャーシ３２０の厚さをさらに薄くすることによってテープレコーダの軽量化が容易になる。さらに、メインシャーシ３１０をサブシャーシ３２０の厚さに対応し薄く形成させる必要がならないので、外部からの衝撃に対するテープレコーダの耐久性を一定の状態に維持させることができる。
【００４８】
　以上、本発明に係る好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【図面の簡単な説明】
【００４９】
【図１】従来のテープレコーダのムービングデッキの内部を示した分離斜視図である。
【図２】従来のテープレコーダの他のムービングデッキの内部を示した分離斜視図である。
【図３】図２のIII-III断面線に沿って固定及び移動ガイドレールが連結された状態を示した断面図である。
【図４】本発明の良好な実施例に係るテープレコーダのムービングデッキの内部を概略的に示した斜視図である。
【図５】本発明の良好な実施例に係るポールベース組立体がローディング位置にある状態のムービングデッキの内部を更に詳細に示した斜視図である。
【図６】図５のVI-VI断面線に沿って磁気テープのローディングが完了された状態を示した断面図である。
【図７】図５の固定ガイドレールの外観を示した斜視図である。
【符号の説明】
【００５０】
３００　ムービングデッキ
３１０　メインシャーシ
３２０　サブシャーシ
３６０　ポールベース組立体
３６１　ベース部材
３６３　ポール部材
３６５　ローラ部材
３６７　サブベース
３６８　リンク部材
３８１　固定ガイドレール
３８５　移動ガイドレール
３９１　段差部
３９３　第１の突出部
３９５　第２の突出部
【図１】
2004146044.tif 000003
【図２】
2004146044.tif 000004
【図３】
2004146044.tif 000005
【図４】
2004146044.tif 000006
【図５】
2004146044.tif 000007
【図６】
2004146044.tif 000008
【図７】
2004146044.tif 000009